(57)【要約】【課題】上方からの光を室内に採り入れる採光シートを簡便に取り付けることができる天井点検口を提供する。【解決手段】建物の天井に形成された開口部３に取り付けられる外枠４と、外枠４に開閉可能に取り付けられる内枠５と、上方からの光を室内に採り入れる採光シート６を内枠５の内側に固定する第１押さえ部材７および第２押さえ部材８とを備えた天井点検口２において、長方形の額縁状に形成された内枠５の一組の対向側辺に第１の固定手段である第１押さえ部材７によって採光シート６が固定された状態で、他の組の対向側辺に採光シートを固定する第２の固定手段である第２押さえ部材８は、立ち上がり部である板部２５を備え、板部２５の外面３９と立ち上がり部の下端面である板部２６下面３８とにおいて採光シート６を内枠との間で挟持するように構成した。【選択図】図５
2013136871.tif 000002
【特許請求の範囲】
【請求項１】
建物の天井に形成された開口部に取り付けられる外枠と、
外枠に開閉可能に取り付けられる内枠と、
上方からの光を室内に採り入れる採光シートを内枠の内側に固定する固定手段とを備えた天井点検口において、
長方形の額縁状に形成された内枠の一組の対向側辺に第１の固定手段によって採光シートが固定された状態で、他の組の対向側辺に採光シートを固定する第２の固定手段は立ち上がり部を備え、立ち上がり部の外面と立ち上がり部の下端面とにおいて採光シートを内枠との間で挟持するように構成したことを特徴とする天井点検口。
【請求項２】
立ち上がり部の外面および内枠には互いに噛合する凹凸部が形成されていることを特徴とする請求項１に記載の天井点検口。
【請求項３】
立ち上がり部と下端面とで形成される角部は円弧状に形成されていることを特徴とする請求項１または２に記載の天井点検口。
【請求項４】
内枠には第１の固定手段または第２の固定手段の位置決めをする凸部が設けられていることを特徴とする請求項１〜３のいずれか１つに記載の天井点検口。
【発明の詳細な説明】
【技術分野】
【０００１】
本発明は、建物の天井に取り付けられ太陽光などを室内に取り入れる天井点検口に関する。
【背景技術】
【０００２】
建物の屋上に天窓を設けて室内に太陽光を取り入れる場合などに、開口部に光拡散シートを設けた点検口を天井などに設置して、開口部から太陽光などを安価な方法で室内に取り入れることができれば便利である。特許文献１には蛍光灯などを光源として光拡散シートを取り付けた照明装置が開示されている。この照明装置では、枠体の光拡散シートを通して蛍光灯の光が室内に取り入れられる。
【先行技術文献】
【特許文献】
【０００３】
【特許文献１】特開２００６−２０９９７８号公報
【発明の概要】
【発明が解決しようとする課題】
【０００４】
特許文献１には、光拡散シートが適度な張力が加えられた状態で枠体に取り付けられる点が記載されているが、光拡散シートを枠体に取り付ける具体的な方法は開示されていない。なお、板状の蓋体を枠体に載置する場合には、適当間隔を空けて枠体に設置された押さえ部材によって蓋体が枠体に固定されるが、シート状の光拡散シートを枠体に取り付ける場合に該押さえ部材を用いることはできない。
【０００５】
本発明の目的は、このような課題を解決するもので、上方からの光を室内に採り入れる採光シートを簡便に取り付けることができる天井点検口を提供することである。
【課題を解決するための手段】
【０００６】
この課題を解決するために本発明は、建物の天井に形成された開口部に取り付けられる外枠と、外枠に開閉可能に取り付けられる内枠と、上方からの光を室内に採り入れる採光シートを内枠の内側に固定する固定手段とを備えた天井点検口において、長方形の額縁状に形成された内枠の一組の対向側辺に第１の固定手段によって採光シートが固定された状態で、他の組の対向側辺に採光シートを固定する第２の固定手段は立ち上がり部を備え、立ち上がり部の外面と立ち上がり部の下端面とにおいて採光シートを内枠との間で挟持するように構成したものである。
【０００７】
また本発明は、立ち上がり部の外面および内枠には互いに噛合する凹凸部が形成されているものである。
また本発明は、立ち上がり部と下端面とで形成される角部は円弧状に形成されるものである。
また本発明は、内枠に第１の固定手段または第２の固定手段の位置決めをする凸部が設けられるものである。
【発明の効果】
【０００８】
請求項１記載の発明によれば、内枠の一組の対向側辺に第１の固定手段によって採光シートが固定された状態で、第２の固定手段が立ち上がり部の外面と立ち上がり部の下端面とにおいて採光シートを内枠との間で挟持するので、採光シートを簡便に取り付けることができる天井点検口とすることができる。
【図面の簡単な説明】
【０００９】
【図１】天井に取り付けた状態の天井点検口の断面図である。
【図２】天井点検口の平面図である。
【図３】天井点検口のＡ−Ａ断面図である。
【図４】天井点検口のＢ−Ｂ断面図である。
【図５】天井点検口のＣ−Ｃ断面図である。
【図６】第２押さえ部材の取り付け状態を示す断面図である。
【図７】採光シートを第１押さえ部材に係止させる手順を示す概略図である。
【図８】採光シートを第２押さえ部材に係止させる手順を示す概略図である。
【発明を実施するための形態】
【００１０】
以下、本発明の一実施の形態について図１〜図６に基づいて説明する。図１に示すように、たとえば建物の屋上には天窓１が設けられており、天窓１から入ってくる太陽光が天井点検口２を通して室内に取り入れられる。天井点検口２は、開口部３の室内側に取り付けられ、外枠４と、外枠４に開閉可能に取り付けられる内枠５とを備えている。内枠５の内側には太陽光を室内に採り入れる採光シート６と、採光シート６の各辺を内枠に固定する第１の固定手段である第１押さえ部材７と、第２の固定手段である第２押さえ部材８とが設けられる。天井点検口２は、後述の連結部材１８を介して３つ連結した状態で開口部３にねじ止めされる。
【００１１】
外枠４はアルミの押し出し材で形成され、室内側から見たときの形状が長方形の額縁状である。外枠４の横断面はコの字状を有し、コの字状の対向する両側面を形成する板部９，１０は開口部側に伸延している。室内に臨む側の板部９はコの字状の底部からさらに外方に伸延して板部１１を形成している。
【００１２】
内枠５はアルミの押し出し材で形成され、室内側から見たときの形状が額縁状の長方形である。内枠５の横断面は略逆Ｔ字状に形成されており、上下方向に形成される立ち上がり壁１２の下端には、開口部の内側および外側に伸延する板部１３，１４が設けられる。立ち上がり壁１２の内面１５には、第２押さえ部材８が係合するジグザグの凹凸部１６が全周に亘って形成され、さらに凹凸部１６の上方には、第１押さえ部材７または第２押さえ部材８の板部１９，２５上端３５，４１に当接し、第１押さえ部材７または第２押さえ部材８の位置決めをする凸部１７が設けられる。内枠５は、内枠５の外方に伸延する板部１４と外枠４の板部９とに係合する係合部材４２によって、外枠４に回動可能に係止されている。
【００１３】
採光シート６として、たとえばユニチカ社製ティンクル(R)が用いられる。ユニチカ社製ティンクル(R)は、シート状に形成されており、光透過性に優れ、柔軟性や可撓性に優れ、さらに火災時には大量の煙を発生させることなく不燃性にも優れている。
【００１４】
第１押さえ部材７はアルミニウムで形成され、横断面がＬ字状の長尺である。第１押さえ部材７は、内枠５の一組の対向する立ち上がり壁１２の内面１５に各々ねじ止めされる。Ｌ字を形成する２つの板部１９，２０のうち、立ち上がり壁１２に取り付けられて上下方向に向く板部１９の下端には、採光シート６の端部を係止する挟持部２１が形成される。挟持部２１は、板部１９の下端部に上下方向に形成された切り込み部２２と、切り込み部２２の両側に形成される挟持片２３とを備える。切り込み部２２はＲを連続して繋いだ波型である。作業者は、採光シート６の端部を切り込み部２２に挟み込んだ状態で、挟持部２１をプレスして切り込み部２２を圧接する。これによって採光シート６が第１押さえ部材７に係止される。板部１９の挟持部２１上方には、第１押さえ部材７を内枠５にねじ止めするための取り付け孔４４が設けられている。
【００１５】
なお、Ｌ字を形成する板部１９とは他方側の板部２０は、開口部の内側に向かって水平に伸延している。板部２０には虫除けパネル２４の周縁部が載置される。虫除けパネル２４は採光シート６の上方に位置し、採光シート６に虫などが付着することを防止する。
【００１６】
第１押さえ部材７は、採光シート６の端部を挟持した状態で内枠５にねじ止めされるが、これに限定されるものではない。採光シート６の端部を係止した状態で内枠５に固定することができるものであれば他の形態のものでも良い。
【００１７】
第２押さえ部材８は、アルミの押し出し材で形成された長尺であり、第１押さえ部材７が取り付けられる立ち上がり壁１２とは異なる他の組の対向する立ち上がり壁１２の内面１５にねじ止めされる。第２押さえ部材８は、立ち上がり壁１２に取り付けられた状態で上下方向に向く板部２５と、この板部２５の下端から開口部の内側に向かって水平に連設される板部２６とを備える。
【００１８】
上下方向に向く板部２５の上端には、開口部内側に向かって水平に伸延する板部２７が形成されており、この板部２７には虫除けパネル２４の周縁部が載置される。板部２７の上方には内枠５の落下を防止するための安全ワイヤー４３を固定する板部２８が上下方向に形成されており、この板部２８から水平方向に板部２９が形成されている。第２押さえ部材８に載置される虫除けパネル２４の周縁部は、板部２７と板部２９との間に挟みこまれる。これによって虫除けパネル２４の浮き上がりが防止される。
【００１９】
板部２７の下方には、板部２７と板部２５とを２辺とした筒状部３０が形成される。筒状部３０の内部にはリブ３１が複数箇所に設けられており、筒状部３０によって板部２５と板部２７とが補強される。筒状部３０を構成する板部のうち開口部３の内側に位置する板部４５は、筒状部３０が下端に向かって幅狭となるように傾斜しているので、天窓１から入った光は筒状部３０に遮られることなく採光シート６全体に拡散することができる。
【００２０】
立ち上がり部である板部２５の下端角部３２は、採光シート６に押し当てたとき採光シート６が傷付かないように円弧状に形成されている。作業者は、円弧状に形成された角部３２を採光シート６に押し当てて、採光シート６の皺を伸ばしながら第２押さえ部材８を内枠５に取り付ける。板部２５の外面にはジグザグの凹凸部３３が形成されており、この凹凸部３３において、採光シート６を内枠５の凹凸部１６との間で挟持する。板部２５の下端には板部２６が開口部の内側に向かって水平に連設されており、立ち上がり部の下端面である板部２６の先端部下面４０において、採光シート６を内枠５板部１３の端部上面３７との間で挟持する。
なお、第１押さえ部材７と第２押さえ部材８との接触を防止するために、第２押さえ部材８の長手方向両端部３４は斜めにカットされている。
【００２１】
ここで天井点検口２の取り付け手順について説明する。本実施の形態では、天井点検口２が３つ連結された状態で取り付けられるが、まず天井点検口２の内枠５に採光シート６を取り付ける手順について説明する。適当な大きさに裁断された採光シート６は、１組の対向側辺が第１押さえ部材７によって挟持された後、他の組の対向側辺が第２押さえ部材８によって挟持される。
【００２２】
まず１組の対向側辺を第１押さえ部材７によって挟持する手順について説明する。図７（ａ）に示すように、第１押さえ部材７の切り込み部２２に採光シート６の端部を挟み込む。次に図７（ｂ）に示すように、切り込み部２２に採光シート６の端部を挟み込んだ状態で、挟持部２１をプレスする。このようにして、第１押さえ部材７が採光シート６の１組の対向側辺を挟持する。
【００２３】
採光シート６の対向側辺を挟持した第１押さえ部材７は、図７（ｃ）に示すように、各々板部１９の取り付け孔４４を用いて内枠５の立ち上がり壁１２内面１５にねじ止めされる。このとき立ち上がり壁１２の凸部１７に第１押さえ部材７の板部１９上端３５を当接させて、容易に第１押さえ部材７の位置決めをすることができる。第１押さえ部材７の板部１９は、板部１３の端部上面３７から凸部１７の下端までの距離よりも僅かに長く形成されており、第１押さえ部材７がねじ止めされたとき、挟持部２１の先端部３６は、内枠５の内側に伸延する板部１３の端部上面３７よりも僅かに下方に位置している。
【００２４】
採光シート６の対向側辺は、下面が板部１３の端部上面３７によって押圧された状態で取り付けられるので、採光シート６に張りを与えることができるとともに、内枠５の板部１３と採光シート６との間に隙間が生じることを防止することができる。板部１９の先端部３６が板部１３に圧接して、第１押さえ部材７が凸部１７と板部１３との間に嵌め込まれるように設置されると、板部１３には下方に押される力に対する反力が生じるので、板部１３の端部上面３７は採光シート６の対向側辺をいっそう強く押圧することができる。
【００２５】
採光シート６の１組の対向側辺を内枠５に固定した後に、第２押さえ部材８を用いて他の組の対向側辺を内枠５に固定するが、採光シート６の１組の対向側辺のみが固定された状態では、採光シート６が他の組の対向側辺方向に撓んで皺ができる場合があるので、採光シート６は、他の組の対向側辺方向に引っ張って皺を伸ばした状態で内枠５に固定される。
【００２６】
そのために、作業者は図８（ａ）に示すように第２押さえ部材８を斜めに傾けて円弧状の角部３２を採光シート６の上面に押し当てた状態で、第２押さえ部材８を他の組の対向側辺側に移動させる。図８（ｂ）は、第２押さえ部材８を他の組の対向側辺近傍まで移動した状態を示す。作業者は、第２押さえ部材８を対向側辺近傍まで移動させた後に、第２押さえ部材８を、角部３２が採光シート６に押し当てられた状態で内枠５に取り付けられる角度まで回動させる。立ち上がり部の下端面である板部２６下面３８において、採光シート６を内枠５板部１３の端部上面３７との間で挟持して、採光シート６を引っ張った状態で、第２押さえ部材８を内枠５の立ち上がり壁１２にねじ止めする。図８（ｃ）は、第２押さえ部材８が内枠５の立ち上がり壁１２にねじ止めされた状態を示す。採光シート６は、このようにして４方の側辺方向に引っ張られた状態で取り付けられ、採光シート６の表面に皺が出ることが防止される。
【００２７】
立ち上がり壁１２には凸部１７が設けられているので、この凸部１７に第２押さえ部材８の板部２５上端４１を当接させて、第２押さえ部材８の位置決めを容易に行うことができる。採光シート６は、図８（ｃ）に示すように第２押さえ部材８の板部２５外面３９に形成された凹凸部３３と内枠５の凹凸部１６とで挟み込まれ、さらに第２押さえ部材８の板部２６先端下面４０と内枠５の板部１３端部上面３７とで挟持されて固定される。なお、板部２６の先端位置と内枠５の板部１３の先端位置とを一致させることで、採光シート６の周縁部に第２押さえ部材８の板部２６の陰が出ることが防止され、すっきりとした意匠とすることができる。
【００２８】
なお、内枠５の板部１３上面に不図示の気密材を設け、採光シート６を板部１３の端部上面３７に直接当接させることなく気密材に当接させて気密性を向上させることができる。とくに第２押さえ部材８の板部２６下面４０を板部１３の端部上面３７に直接当接させることなく気密材に当接させて、第２押さえ部材８側の気密性を効果的に向上させることができる。
【００２９】
第１押さえ部材７と第２押さえ部材８とによって採光シート６が取り付けられた内枠５には、ポリカーボネート製の虫除けパネル２４が設置される。虫除けパネル２４の周縁部は、第１押さえ部材７の水平方向の板部２０と第２押さえ部材８の水平方向に伸延する板部２７とに載置される。虫除けパネル２４の周縁部を第２押さえ部材８の板部２７に載置する場合には、虫除けパネル２４を撓ませて周縁部を板部２７と板部２９との間に嵌め込む。なお、虫除けパネル２４を第１押さえ部材７の板部２０にねじ止めして固定することもできる。
【００３０】
虫除けパネル２４が載置された内枠５は係合部材４２によって外枠４に回動可能に係止される。内枠５が係止された外枠４は、連結部材１８を介してねじ止めされて３つ連結される。３つ連結された外枠４は、開口部３側面にねじ止めされる。
【００３１】
本実施の形態の説明では、天窓１から室内に太陽光を取り入れる場合について説明したが、天井点検口２の上方に蛍光灯などの照明器具を設置して照明器具の光を室内に取り入れることもできる。また、第２押さえ部材８を斜めに傾けて角部３２を採光シート６の上面に押し当てて皺を伸ばしているが、これに限定されるものではなく、第２押さえ部材８を斜めに傾けることなく、板部２６下面３８を直接採光シート６に押し当てるものでも良い。この場合には、第２押さえ部材８を内枠５の立ち上がり壁１２に取り付けるときに回動させる手間を省くことができる。
【００３２】
このように、建物の天井に形成された開口部３に取り付けられる外枠４と、外枠４に開閉可能に取り付けられる内枠５と、上方からの光を室内に採り入れる採光シート６を内枠５の内側に固定する固定手段とを備えた天井点検口２において、長方形の額縁状に形成された内枠５の一組の対向側辺に第１の固定手段である第１押さえ部材７によって採光シート６が固定された状態で、他の組の対向側辺に採光シートを固定する第２の固定手段である第２押さえ部材８は、立ち上がり部である板部２５を備え、板部２５の外面３９と下端面である板部２６下面３８とにおいて採光シート６を内枠との間で挟持するように構成したので、採光シート６を簡便に取り付けることができる天井点検口２とすることができる。
【００３３】
さらに、立ち上がり部である板部２５の外面３９および内枠５には互いに噛合する凹凸部３３，１６が形成されているので、採光シート６を確実に挟持することができる。
さらに、立ち上がり部である板部２５と底部である板部２６とで形成される角部３２は円弧状に形成されているので、角部３２を採光シート６に押し当てたとき採光シート６に傷が付かないようにすることができる。
【００３４】
さらに、内枠５には第１押さえ部材７または第２押さえ部材８の位置決めをする凸部１７が設けられているので、第１押さえ部材７または第２押さえ部材８の位置決めを容易に行うことができる。
【符号の説明】
【００３５】
１    天窓
２    天井点検口
３    開口部
４    外枠
５    内枠
６    採光シート
７    第１押さえ部材
８    第２押さえ部材
９，１０，１１，１３，１４，１９，２０，２５，２６，２７，２８，２９，４５    板部
１２    立ち上がり壁
１５    内面
１６，３３    凹凸部
１７    凸部
１８    連結部材
２１    挟持部
２２    切り込み部
２３    挟持片
２４    虫除けパネル
３０    筒状部
３１    リブ
３２    角部
３４    端部
３５，４１    上端
３６    先端部
３７    端部上面
３８，４０    下面
３９    外面
４２    係合部材
４３    安全ワイヤー
４４    取り付け孔
【図１】
2013136871.tif 000003
【図２】
2013136871.tif 000004
【図３】
2013136871.tif 000005
【図４】
2013136871.tif 000006
【図５】
2013136871.tif 000007
【図６】
2013136871.tif 000008
【図７】
2013136871.tif 000009
【図８】
2013136871.tif 000010